(57)【特許請求の範囲】
【請求項１】
パラメータが設定されている一の機能を有する電気機器において、
前記パラメータの値の入力を受け付ける、異なる複数の受付画面を表示する表示部を備え、
前記複数の受付画面は、
閾値以上の間隔幅を有する複数のパラメータの値のうちの何れか一つが表示され、表示されているパラメータの値の入力を受け付ける大幅入力受付画面と、
前記閾値より狭い間隔幅を有する複数のパラメータの値のうちの何れか一つが表示され、表示されているパラメータの値の入力を受け付ける小幅入力受付画面とを含み、
使用者識別データを受け付ける受付手段を更に備え、
受け付けた前記使用者識別データの認証ができた場合、前記表示部は前記小幅入力受付画面を表示し、
受け付けた前記使用者識別データの認証ができなかった場合、前記表示部は前記大幅入力受付画面を表示することを特徴とする電気機器。  
【請求項２】
前記大幅入力受付画面は、
前記閾値以上の間隔幅を有する複数のパラメータの値から昇順又は降順に何れか一つ表示する指示を受け付ける指示受付手段を備え、
該指示受付手段が受け付けた指示に応じて表示されるパラメータの値に基づき、パラメータの値の入力を受け付けるように構成されていることを特徴とする請求項１に記載の電気機器。
【請求項３】
予め定められた間隔を有する複数のパラメータの値を記憶する記憶部を備えており、
前記大幅入力受付画面は、
ユーザの選択を受け付ける選択受付手段を、前記複数のパラメータの値の夫々に対応して備え、
何れかの選択受付手段が選択された場合、
選択された選択受付手段に対応するパラメータの値に基づき、前記パラメータを調整するように構成されていることを特徴とする請求項１又は２に記載の電気機器。
【請求項４】
パラメータが設定されている一の機能を有する電気機器にてパラメータを入力する入力方法において、
前記電気機器は、前記パラメータの値の入力を受け付ける、異なる複数の受付画面を表示する表示部を備え、
前記複数の受付画面は、閾値以上の間隔幅を有する複数のパラメータの値のうち何れか一つが表示され、表示されているパラメータの値の入力を受け付ける大幅入力受付画面と、前記閾値より狭い間隔幅を有する複数のパラメータの値のうちの何れか一つが表示され、表示されているパラメータの値の入力を受け付ける小幅入力受付画面とを含んでおり、
使用者識別データを受け付ける受付ステップと、
受け付けた前記使用者識別データの認証ができた場合、前記表示部が前記小幅入力受付画面を表示するステップと、
受け付けた前記使用者識別データの認証ができなかった場合、前記表示部が前記大幅入力受付画面を表示するステップと
を含むことを特徴とする入力方法。
【発明の詳細な説明】
【技術分野】
【０００１】
本発明は、一の機能に複数のパラメータが設定されている電気機器における、パラメータの調整に関する。
【背景技術】
【０００２】
近年、公共施設又はコンビニエンスストア等には、プリンタ、複合機等の装置が設置されており、使用者は、所定の料金を支払って、前記装置を使用することが出来る。
【０００３】
しかし、トラブルの発生、所定機能の性能調整等の場合、サービスマンが現場まで駆け付けるには所定の時間が必要であることから、当該装置の管理人（例えば、店主）にも臨時的措置程度の対応が求められている。
【０００４】
例えば、特許文献１においては、用紙の搬送方向と直交する方向の位置ズレを検出し、その位置ズレ量が基準値を超えた場合に位置ズレの補正を行なうことにし、また、その基準値をサービスマン又は使用者により任意に変更可能とした画像形成装置が開示されている。
【先行技術文献】
【特許文献】
【０００５】
【特許文献１】特開２００６−６９７３８号公報
【発明の概要】
【発明が解決しようとする課題】
【０００６】
一方、斯かる装置においては、一つの機能に複数のパラメータが設定されている場合も多く、当該機能に係るトラブルの解消、該機能の性能調整等のためには、当該複数のパラメータを調整する必要がある。
【０００７】
しかしながら、サービスマンと、店主との間には、メンテナンス能力、専門知識等の面において当然大きな差が存在し、同じサービスマンと言えども、その経験差によって、メンテナンス能力に差が生じるので、当該パラメータの調整においても、このような個人差による影響が発生し得る。
【０００８】
すなわち、熟練のサービスマンの場合は、当該装置の使用状況に応じたパラメータの詳細な調整が可能であるが、未熟のサービスマン、店主等の場合は、このように詳細なパラメータの調整ができない場合が多い。
【０００９】
しかも、このように、所定機能（パラメータ）の調整のために提供される操作画面の多くはその操作が複雑で難しく、ある程度以上のメンテナンス能力、専門知識等を要する。従って、このような操作画面は未熟のサービスマン、店主等のような未熟者にとって、操作性が悪く、適切な操作が困難であり、混乱を増幅させる一方である。
【００１０】
本発明は、斯かる事情に鑑みてなされたものであり、その目的とするところは、パラメータが設定されている一の機能を有する電気機器において、メンテナンス能力、又は当該装置に対する専門知識の有無等、パラメータの調整における使用者の能力差に応じて、前記パラメータの調整に対して受け付ける指示の詳細度が異なる複数の受付画面を表示することにより、使用者が自分の能力差に関わることなく、適宜パラメータを調整できる電気機器及び入力方法を提供することにある。
【課題を解決するための手段】
【００１１】
本発明に係る電気機器は、パラメータが設定されている一の機能を有する電気機器において、前記パラメータの調整に対して受け付ける指示の詳細度が異なる複数の受付画面を表示する表示部を備えることを特徴とする。
また、本発明に係る電気機器は、パラメータが設定されている一の機能を有する電気機器において、前記パラメータの値の入力を受け付ける、異なる複数の受付画面を表示する表示部を備え、前記複数の受付画面は、閾値以上の間隔を有する値の入力を受け付ける大幅入力受付画面と、前記閾値より狭い間隔を有する値の入力を受け付ける小幅入力受付画面とを含み、使用者識別データを受け付ける受付手段を更に備え、前記受付手段が前記使用者識別データを受け付けた場合、前記表示部は前記小幅入力受付画面を表示することを特徴とする。
また、本発明に係る入力方法は、パラメータが設定されている一の機能を有する電気機器にてパラメータを入力する入力方法において、前記電気機器は、前記パラメータの値の入力を受け付ける、異なる複数の受付画面を表示する表示部を備え、前記複数の受付画面は、閾値以上の間隔を有する値の入力を受け付ける大幅入力受付画面と、前記閾値より狭い間隔を有する値の入力を受け付ける小幅入力受付画面とを含んでおり、使用者識別データを受け付ける受付ステップと、前記受付ステップで前記使用者識別データを受け付けた場合、前記表示部が前記小幅入力受付画面を表示するステップとを含むことを特徴とする。
【００１２】
本発明にあっては、メンテナンス能力、又は当該装置に対する専門知識の有無等、パラメータを調整する使用者の能力差に応じて、前記パラメータの調整に対して受け付ける指示の詳細度が異なる受付画面が前記表示部に表示され、使用者は自分の能力に合った受付画面を介して前記機能のパラメータを調整する。
【００１３】
本発明に係る電気機器は、前記複数の受付画面は、前記指示を受け付ける際、パラメータの値の入力を受け付け、閾値以上の間隔を有する値の入力を受け付ける大幅入力受付画面と、前記閾値より狭い間隔を有する値の入力を受け付ける小幅入力受付画面とを含むことを特徴とする。
【００１４】
本発明にあっては、パラメータの値の入力を受け付ける際、前記大幅入力受付画面では閾値以上の間隔を有する値の入力が受け付けでき、前記小幅入力受付画面では、前記閾値より狭い間隔を有する値の入力が受け付けできる。
【００１５】
本発明に係る電気機器は、数字の入力を受け付ける数字受付手段を備え、前記小幅入力受付画面は、前記数字受付手段を介して値の入力を受け付け、前記大幅入力受付画面は、前記閾値以上の間隔を有する値を昇順又は降順に表示する指示を受け付ける指示受付手段を備え、該指示受付手段が受け付けた指示に応じて表示される値に基づき、値の入力を受け付けるように構成されていることを特徴とする。
【００１６】
本発明にあっては、前記数字受付手段が使用者から数字の入力を受け付け、前記数字受付手段によって受け付けられた数字に基づき、前記小幅入力受付画面が値の入力を受け付る。前記大幅入力受付画面は、前記指示受付手段が使用者から受け付けた指示に応じて前記表示部に所定の値が表示された場合、該値に基づき、値の入力を受け付ける。
【００１７】
本発明に係る電気機器は、予め定められた間隔を有する複数の値を記憶する記憶部を備えており、前記大幅入力受付画面は、ユーザの選択を受け付ける選択受付手段を、前記複数の値の夫々に対応して備え、何れかの選択受付手段が選択された場合、選択された選択受付手段に対応する値に基づき、前記パラメータを調整するように構成されていることを特徴とする。
【００１８】
本発明にあっては、前記大幅入力受付画面は、前記記憶部に記憶された複数の値の夫々に対応して前記選択受付手段を備え、使用者によって、何れかの選択受付手段が選択された場合、選択された選択受付手段に対応する値が前記記憶部から読み出され、該値に基づいて前記パラメータが調整される。
【００１９】
本発明に係る電気機器は、使用者識別データを受け付ける受付手段を備え、前記表示部は、該受付手段が受け付けた使用者識別データに基づき、何れかの受付画面を表示するように構成されていることを特徴とする。
【００２０】
本発明にあっては、前記受付手段が使用者識別データを受け付けた場合、前記表示部は、前記受付手段が受け付けた使用者識別データに基づき、大幅入力受付画面又は小幅入力受付画面を表示する。
【発明の効果】
【００２１】
本発明によれば、メンテナンス能力、又は当該装置に対する専門知識の有無等、パラメータの調整における使用者の能力差に応じて、前記パラメータの調整に対して受け付ける指示の詳細度が異なる複数の受付画面が表示されるので、使用者が自分の能力に関わることなく、適宜パラメータを調整できる。
【図面の簡単な説明】
【００２２】
【図１】本発明の実施の形態１に係る複合機の要部構成を示す機能ブロック図である。
【図２】本発明の実施の形態１に係る複合機において、表示部に表示される簡単操作画面の一例を示す例示図である。
【図３】本発明の実施の形態１に係る複合機において、表示部に表示される詳細操作画面の一例を示す例示図である。
【図４】本発明の実施の形態１に係る複合機において、簡単操作画面又は詳細操作画面を用いてパラメータを調整する場合を説明するフローチャートである。
【図５】本発明の実施の形態２に係る複合機において、表示部に表示される簡単操作画面の一例を示す例示図である。
【図６】本発明の実施の形態２に係る複合機において、表示部に表示される詳細操作画面の一例を示す例示図である。
【図７】本発明の実施の形態３に係る複合機において、表示部に表示される簡単操作画面の一例を示す例示図である。
【図８】本発明の実施の形態３に係る複合機において、記憶部に記憶されたパラメータ値テーブルを概念的に説明する説明図である。
【発明を実施するための形態】
【００２３】
最近の電気機器が有する機能は複数のパラメータが設定されている場合が多く、斯かる機能を調整するためには、該機能に係る複数のパラメータを調整する必要がある。
【００２４】
例えば、複合機において、定着ローラ及び加圧ローラを用いて、これらの間の定着ニップ部を通過する記録用紙上の未定着トナー像を該記録用紙に定着させる定着機能では、定着温度に係るパラメータとして、該定着ローラ及び加圧ローラのヒータランプの温度が挙げられる。
【００２５】
より詳しくは、前記定着ローラは２箇所（中央部及び両端部）にヒータランプが設けられており、前記加圧ローラは１箇所（中央部）にヒータランプが設けられている。すなわち、定着という機能におけるパラメータは、これら３つのヒータランプの温度を含む。
【００２６】
しかも、定着温度の調整のためには、前記定着ローラ及び加圧ローラの３つのヒータランプを共に調整する必要があるが、斯かる調整は、使用される記録用紙の種類（例えば、普通紙、厚紙、ＯＨＰフィルム等）、記録用紙の大きさ（例えば、Ａ４、Ａ５、Ｂ４、Ｂ５等）、取り込み方向（例えば、長手方向又は短手方向）等によって異なるうえに、当該複合機の使用状況によっても影響を受ける。
【００２７】
しかし、パラメータの調整のために当該複合機によって提供される操作画面の操作には、ある程度以上のメンテナンス能力、専門知識等が要求される場合が多いので、未熟のサービスマン、店主等のような未熟者にとって、当該操作画面は操作性が悪く、適切な操作が困難である。本発明は、このような問題に対するものである。
【００２８】
以下に、本発明の実施の形態に係る電気機器を複合機に適用した場合を例として、図面に基づいて詳述する。以下においては、説明の便宜上、上述したように、定着機能における温度調整の場合を例として説明する。また、以下では、前記定着ローラにおいて、中央部のヒータランプを「ＴＨ‐ＵＭ」と言い、両端部のヒータランプを「ＴＨ‐ＵＳ１」と言い、前記加圧ローラの中央部のヒータランプを「ＴＨ‐ＬＭ１」と称する。
【００２９】
（実施の形態１）
図１は本発明の実施の形態１に係る複合機１００の要部構成を示す機能ブロック図である。複合機１００は、ＣＰＵ１（受付手段）と、ＲＯＭ２と、ＲＡＭ３と、記憶部４と、表示部５と、表示制御部６と、画像入力部７と、画像出力部８と、画像処理部９と、操作パネル１０とを備えている。
【００３０】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００３１】
ＣＰＵ１は、ＲＯＭ２に予め格納されている制御プログラムをＲＡＭ３上にロードして実行することによって、上述した各種ハードウェアの制御を行ない、装置全体を本発明に係る複合機１００として動作させる。  
【００３２】
表示制御部６は、ＤＳＰ（Digital Signal Processor）のようなプロセッサにより構成され、表示部５への画像表示を制御する。例えば、表示制御部６は、ＣＰＵ１の指示に応じて、使用者識別情報を受け付けるための識別情報受付画面を表示し、又は記憶部４に記憶された画像データを用いて、表示部５に後述する簡単操作画面及び詳細操作画面を表示する。
【００３３】
画像入力部７は、読み取り用の原稿に光を照射する光源、ＣＣＤ（Charge Coupled Device）のようなイメージセンサ等を有し、該原稿の画像データの光学的読み取りを行なう。また、画像入力部７では、所定の読取り位置に載置された原稿からの反射光像を当該イメージセンサに結像させ、ＲＧＢ（R : Red, G : Green, B : Blue）のアナログデータを出力する。
【００３４】
画像出力部８は、画像処理部９から出力される画像データに基づく画像を記録用紙、ＯＨＰフィルム等の記録媒体上に印刷する。画像出力部８は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器、該トナー像を該記録媒体に定着する定着ローラ等を備えている。
【００３５】
画像処理部９は、例えば、画像入力部７から入力されるアナログデータを基にデジタル形式の画像データを生成し、又は記憶部４に記憶されている画像データを読み出し、夫々の画像の種類に応じた処理を施した後、出力（印刷）すべき画像データを生成する。画像処理部９によって生成された出力用画像データは、画像出力部８に送られる。
【００３６】
また、操作パネル１０は、複合機１００における「ファックス」、「複写」、「印刷」、「メール」等の機能を切り替える機能ボタン、各パラメータの値の入力に用いられるテンキー、スタートキー、キャンセルキー、受け付けた指示を確定するためのエンターキー、画像入力部７を介して読み取った原稿の画像を記録用紙上に画像形成するための「出力」キー等を備えている。
【００３７】
表示部５は、例えば、ＬＣＤ又はＥＬ（Electroluminescence）パネル等からなり、画
像出力部８を介して、記録用紙へ出力（印刷）すべき画像が表示される。また、表示部５は、複合機１００の状態、ジョブ処理の状況、画像入力部７が読み取った原稿の画像及び操作パネル１０の操作内容の確認等、使用者に対して報知すべき情報を表示する。
【００３８】
また、表示部５は、所定機能のパラメータの調整にあたり、使用者からパラメータの調整に係る指示を受け付ける受付画面が表示される。より詳しくは、使用者のメンテナンス能力、専門知識等の個人差に応じて、簡単操作画面（大幅入力受付画面）又は詳細操作画面（小幅入力受付画面）が表示される。簡単操作画面及び詳細操作画面は、当該パラメータの調整において、受け付ける指示の詳細度が異なる。
【００３９】
図２は本発明の実施の形態１に係る複合機１００において、表示部５に表示される簡単操作画面の一例を示す例示図であり、図３は本発明の実施の形態１に係る複合機１００において、表示部５に表示される詳細操作画面の一例を示す例示図である。
【００４０】
簡単操作画面５１は、所定の機能を調整する際において、該機能に係るパラメータが複数存在し、これらを調整する必要がある場合、所定の閾値以上の間隔を有する値の入力を受け付ける。すなわち、簡単操作画面５１を介しては、前記閾値の間隔にて増減する数字（値）の何れかのみが受け付けられる。これにより、当該パラメータの調整において、詳細な調整が出来ない未熟者の操作性を高める。
【００４１】
図２に示す簡単操作画面５１の例では、定着温度の調整における「ＴＨ‐ＵＭ」、「ＴＨ‐ＵＳ１」及び「ＴＨ‐ＬＭ１」に対して、上述したように、所定の閾値以上の間隔を有する値の入力を受け付ける場合について例示している。
【００４２】
簡単操作画面５１においては、例えば、普通紙系は、更に、カラー普通紙、白黒普通紙、カラー普通紙両面及び白黒普通紙両面の項目に分けられており、これらに対する、「ＴＨ‐ＵＭ」、「ＴＨ‐ＵＳ１」及び「ＴＨ‐ＬＭ１」の値を、夫々使用者から受け付ける。
【００４３】
詳しくは、簡単操作画面５１には、「５」又は「１０」の間隔にて増減させた値を表示する指示を受け付ける数字増減キー５１ａ, ５１ａ…と、表示させた値をリセットするためのリセットキー５１ｂと、他のページに移動するためのスクロールバー５１ｃと、入力すべき値（数字）が表示される入力枠５１ｄ, ５１ｄ…とが設けられている。使用者は、例えば、所定の項目の入力枠５１ｄを選択し、何れかの数字増減キー５１ａを適宜操作することによって、希望する値を当該入力枠５１ｄに表示させることにより、該値を入力することができる。
【００４４】
このような簡単操作画面５１は、未熟のサービスマン、店主等のような未熟者のように、メンテナンス能力が低く、装置に対する専門知識を有していない者が使用出来るように構成されている。図２に示すような簡単操作画面５１においては、操作者に詳細な操作を要求しないので、パラメータ調整における操作者の混乱を防ぎ、操作性向上を図ることができる。
【００４５】
一方、図３に示す詳細操作画面５２は、所定の機能を調整する際において、該機能に係るパラメータが複数存在し、これらを調整する必要がある場合、図２に示す簡単操作画面５１に係る閾値より狭い間隔を有する値の入力を受け付ける。これにより、当該パラメータの調整において、詳細な調整が可能となる。
【００４６】
図３に示す詳細操作画面５２の例では、定着温度の調整における「ＴＨ‐ＵＭ」、「ＴＨ‐ＵＳ１」及び「ＴＨ‐ＬＭ１」に対する、簡単操作画面５１より詳細な値の入力を例示している。図２の場合と同様、普通紙系は、更に、カラー普通紙、白黒普通紙、カラー普通紙両面及び白黒普通紙両面の項目に分けられている。
【００４７】
詳しくは、詳細操作画面５２には、「１」又は「２」の間隔にて増減させた値を表示する指示を受け付ける数字増減キー５２ａ, ５２ａ…と、表示させた値をリセットするためのリセットキー５２ｂと、他のページに移動するためのスクロールバー５２ｃと、入力すべき値（数字）が表示される入力枠５２ｄ, ５２ｄ…とが設けられている。例えば、使用者は、所定の項目の入力枠５２ｄを選択し、何れかの数字増減キー５２ａを適宜操作することによって、希望する値を当該入力枠５２ｄに表示させることにより、該値を入力することができる。これによって、詳細操作画面５２においては、簡単操作画面５１に比べて、詳細な値の入力ができる。
【００４８】
このような詳細操作画面５２は、メンテナンス能力が高く、当該装置に対する専門知識を有している者が使用出来るように構成されている。図３に示すような詳細操作画面５２においては、経験豊富な熟練のサービスマンのような熟練者が、自分のノウハウを十分に生かして、詳細なパラメータの調整を行なうことができる。
【００４９】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００５０】
図４は本発明の実施の形態１に係る複合機１００において、簡単操作画面５１又は詳細操作画面５２を用いてパラメータを調整する場合を説明するフローチャートである。説明の便宜上、以下においては、図２及び図３に基づいて説明する。
【００５１】
例えば、使用者は、定着機能における定着温度の調整を望む場合、操作パネル１０を適宜操作して、斯かる調整のための受付画面の表示を指示する。斯かる際、ＣＰＵ１は操作パネル１０を介して受付画面の表示指示を受け付ける（ステップＳ１０１）。
【００５２】
このとき、ＣＰＵ１は、使用者識別情報を受け付けるための受付画面の表示を表示制御部６に指示し、表示制御部６は斯かる受付画面を表示部５に表示する。ここで、前記使用者識別情報は、メンテナンス能力が高く、当該装置に対する専門知識を有している熟練のサービスマンにのみ付与されるものとする。
【００５３】
ＣＰＵ１は操作パネル１０を監視することにより、使用者識別情報を受け付けたか否かを判定する（ステップＳ１０２）。
【００５４】
例えば、斯かる使用者が前記使用者識別情報の付与されたサービスマンであり、該使用者が操作パネル１０を操作して使用者識別情報を入力した場合、ＣＰＵ１は使用者識別情報を受け付けたと判定し（ステップＳ１０２：ＹＥＳ）、表示制御部６に詳細操作画面５２の表示を指示する。
【００５５】
表示制御部６は、ＣＰＵ１の指示に応じて、表示部５に、図３に示したような詳細操作画面５２を表示する（ステップＳ１０３）。
【００５６】
この際、使用者は、所定の項目の入力枠５２ｄを選択し、何れかの数字増減キー５２ａを適宜操作して、値を「１」又は「２」の間隔にて増減させながら希望する値を当該入力枠５２ｄに表示させることにより、値の入力を行なう。
【００５７】
使用者は上述した操作を各項目に対して繰り返す。これにより、ＣＰＵ１は詳細操作画面５２を介して、各項目における各パラメータ（「ＴＨ‐ＵＭ」、「ＴＨ‐ＵＳ１」及び「ＴＨ‐ＬＭ１」）に対し、間隔「１」以上の詳細な値の入力を受け付ける（ステップＳ１０４）。
【００５８】
以降、ＣＰＵ１は受け付けた値に基づき、夫々のパラメータ（「ＴＨ‐ＵＭ」、「ＴＨ‐ＵＳ１」及び「ＴＨ‐ＬＭ１」）を調整する（ステップＳ１０５）。
【００５９】
一方、当該使用者が前記使用者識別情報を有しておらず、該使用者識別情報の入力ができない場合、例えば、所定時間使用者識別情報の入力がなかった場合、ＣＰＵ１は使用者識別情報を受け付けていないと判定し（ステップＳ１０２：ＮＯ）、表示制御部６に簡単操作画面５１の表示を指示する。
【００６０】
表示制御部６は、ＣＰＵ１の指示に応じて、表示部５に、図２に示したような簡単操作画面５１を表示する（ステップＳ１０６）。
【００６１】
この際、使用者は、所定の項目の入力枠５１ｄを選択し、何れかの数字増減キー５１ａを適宜操作して、値を「５」又は「１０」の間隔にて増減させながら希望する値を当該入力枠５１ｄに表示させることにより、値の入力を行なう。
【００６２】
使用者は上述した操作を各項目に対して繰り返す。これにより、ＣＰＵ１は簡単操作画面５１を介して、各項目における各パラメータ（「ＴＨ‐ＵＭ」、「ＴＨ‐ＵＳ１」及び「ＴＨ‐ＬＭ１」）に対し、間隔「５」以上の値の入力を受け付ける（ステップＳ１０７）。以降、処理はステップＳ１０５に進む。
【００６３】
（実施の形態２）
本発明の実施の形態２に係る複合機１００においても、実施の形態１と同様に、当該パラメータの調整において、受け付ける指示の詳細度が異なる、簡単操作画面及び詳細操作画面が表示部５に表示される。
【００６４】
図５は本発明の実施の形態２に係る複合機１００において、表示部５に表示される簡単操作画面の一例を示す例示図であり、図６は本発明の実施の形態２に係る複合機１００において、表示部５に表示される詳細操作画面の一例を示す例示図である。
【００６５】
図５に示す簡単操作画面５３の例では、定着温度の調整における「ＴＨ‐ＵＭ」、「ＴＨ‐ＵＳ１」及び「ＴＨ‐ＬＭ１」に対して、上述したように、所定の閾値以上の間隔を有する値の入力を受け付ける場合について例示している。
【００６６】
簡単操作画面５３においては、例えば、普通紙系は、更に、カラー普通紙、白黒普通紙、カラー普通紙両面及び白黒普通紙両面の項目に分けられており、これらに対する、「ＴＨ‐ＵＭ」、「ＴＨ‐ＵＳ１」及び「ＴＨ‐ＬＭ１」の値を、夫々使用者から受け付ける。
【００６７】
詳しくは、簡単操作画面５３には、「５」の間隔にて増減させた値を表示する指示を受け付ける数字増減キー５３ａ, ５３ａ…（指示受付手段）と、表示された値をリセットするためのリセットキー５３ｂと、他のページに移動するためのスクロールバー５３ｃと、入力すべき値（数字）が表示される入力枠５３ｄ, ５３ｄ…とが設けられている。使用者は、例えば、所定の項目の入力枠５３ｄを適宜選択し、該項目に対応する数字増減キー５３ａを適宜操作することによって、希望する値を当該入力枠５３ｄに表示させることにより、該値を入力することができる。
【００６８】
このような簡単操作画面５３は、操作者に詳細な操作を要求しないので、パラメータ調整における操作者の混乱を防ぎ、操作性向上を図ることができる。
【００６９】
一方、詳細操作画面５４は、所定の機能を調整する際において、該機能に係るパラメータが複数存在し、これらを調整する必要がある場合、図５に示す簡単操作画面５３に係る閾値より狭い間隔を有する値の入力を受け付けることができる。より具体的には、本発明の実施の形態２に係る複合機１００における、詳細操作画面５４では、使用者が操作パネル１０のテンキー（数字受付手段）を用いてパラメータの値を直接入力することができる。これにより、当該パラメータの調整において、詳細な調整が可能となる。
【００７０】
図６に示す詳細操作画面５４の例では、定着温度の調整における「ＴＨ‐ＵＭ」、「ＴＨ‐ＵＳ１」及び「ＴＨ‐ＬＭ１」に対して、簡単操作画面５３より詳細な値の入力を例示している。図５の場合と同様、普通紙系は、更に、カラー普通紙、白黒普通紙、カラー普通紙両面及び白黒普通紙両面の項目に分けられている。
【００７１】
詳しくは、詳細操作画面５４には、操作パネル１０（テンキー）を介して使用者から受け付けた、入力すべき値（数字）が表示される入力枠５４ｄ, ５４ｄ…と、表示された値をリセットするためのリセットキー５４ｂと、他のページに移動するためのスクロールバー５４ｃとが設けられている。例えば、使用者は、所定の項目の入力枠５４ｄを選択し、操作パネル１０のテンキーを適宜操作して希望する値を当該入力枠５４ｄに書き込むことにより、該値を入力することができる。このように、使用者は操作パネル１０のテンキーを介して任意の数字を自由に入力できるので、詳細操作画面５４においては、簡単操作画面５３に比べて、詳細な値の入力ができる。
【００７２】
実施の形態１と同様の部分については、同一の符号を付して詳細な説明を省略する。
【００７３】
（実施の形態３）
本発明の実施の形態３に係る複合機１００においても、実施の形態１と同様に、受け付ける指示の詳細度が異なる、簡単操作画面及び詳細操作画面が表示部５に表示される。
【００７４】
しかし、本発明の実施の形態３に係る複合機１００においては、簡単操作画面の構成が実施の形態１及び２のそれと異なる。詳しくは、実施の形態３における簡単操作画面では、所定の間隔を有するように予め定められている複数の値の中、何れかの値を使用者が選択するように構成されている。
【００７５】
図７は本発明の実施の形態３に係る複合機１００において、表示部５に表示される簡単操作画面の一例を示す例示図である。
【００７６】
図７に示す簡単操作画面５５の例では、定着温度の調整において、項目毎の「ＴＨ‐ＵＭ」、「ＴＨ‐ＵＳ１」及び「ＴＨ‐ＬＭ１」に対して、上述したように、予め定められている複数の値の何れかが入力される場合を例示している。
【００７７】
簡単操作画面５５には、入力すべき値（数字）が表示される入力枠５５ｄ, ５５ｄ…と、表示された値をリセットするためのリセットキー５５ｂと、他のページに移動するためのスクロールバー５５ｃとが設けられている。
【００７８】
更に、簡単操作画面５５には、予め定められている複数の値の夫々に対応しており、所定の入力枠５５ｄに表示すべき値として、これら複数の値の何れかの選択を使用者から受け付ける数字選択キー５５ａ, ５５ａ…（選択受付手段）が設けられている。すなわち、数字選択キー５５ａとしては、「高」キー、「中」キー、「低」キーが設けられており、これらの夫々に対応する数字が後述する記憶部４のパラメータ値テーブルに予め記憶されている。従って、使用者によって何れかが操作（選択）された場合、操作された数字選択キー５５ａに対応する数字が当該入力枠５５ｄに表示される。
【００７９】
実施の形態３に係る複合機１００の記憶部４には、前記パラメータ値テーブルが記憶されている。図８は本発明の実施の形態３に係る複合機１００において、記憶部４に記憶されたパラメータ値テーブルを概念的に説明する説明図である。
【００８０】
前記パラメータ値テーブルには、所定の入力枠５５ｄに表示すべき値として、所定の間隔を有するように予め定められた複数の値が、図７の簡単操作画面５５に表示された「高」キー、「中」キー、「低」キー（数字選択キー５５ａ）に対応付けて記憶されている。すなわち、各項目の「ＴＨ‐ＵＭ」、「ＴＨ‐ＵＳ１」及び「ＴＨ‐ＬＭ１」に対して、「高」キー、「中」キー、「低」キー毎に、所定の間隔を有する値が記憶されている。
【００８１】
従って、使用者が所定項目の入力枠５５ｄを選択し、「高」キー、「中」キー、「低」キーの何れかを選択（操作）した場合、前記パラメータ値テーブル中、選択されたソフトキーに対応する値が当該入力枠５５ｄに表示され、表示された値に基づき、当該パラメータの調整が行なわれる。
【００８２】
このような簡単操作画面５５は、操作者に詳細な操作を要求しないので、パラメータ調整における操作者の混乱を防ぎ、操作性向上を図ることができる。
【００８３】
実施の形態１と同様の部分については、同一の符号を付して詳細な説明を省略する。
【００８４】
以上の記載においては、受け付ける指示の詳細度が異なる複数の受付画面として、前記詳細操作画面及び簡単操作画面の２つを例にあげて説明したが、これに限るものでなく、斯かる受付画面が３つ以上であるように構成しても良い。
【００８５】
また、以上の記載においては、簡単操作画面５１及び詳細操作画面５２の組み合せ、並びに簡単操作画面５３及び詳細操作画面５４の組み合わせの場合について説明したが、これに限るものでない。例えば、簡単操作画面５１及び詳細操作画面５４、簡単操作画面５３及び詳細操作画面５２、簡単操作画面５５及び詳細操作画面５２等のようにその組み合わせを変更した構成であっても良い。
【符号の説明】
【００８６】
１００  複合機
１  ＣＰＵ
４  記憶部
５  表示部
１０  操作パネル
５１、５３、５５  簡単操作画面
５２、５４  詳細操作画面
５１ａ、５２ａ、５３ａ  数字増減キー
５５ａ  数字選択キー
【図１】
0006509175.tif 000002
【図２】
0006509175.tif 000003
【図３】
0006509175.tif 000004
【図４】
0006509175.tif 000005
【図５】
0006509175.tif 000006
【図６】
0006509175.tif 000007
【図７】
0006509175.tif 000008
【図８】
0006509175.tif 000009